(57)【要約】【課題】  煩雑な操作を行うことなく画像とメタデータとの対応を視認可能な状態でメタデータ同士を切り替えて表示することができる。【解決手段】  プリンタの操作部に設けられた表示切替キーをユーザが押下するとアセットの画像を拡大した拡大表示画面８４からこのアセットのメタデータを表示する情報表示画面８５へ切り替えて表示する。このとき、左右キーをユーザが押下すると２以上の情報表示画面８５同士を切り替えて表示する。この情報表示画面８５には、メタデータ表示部８５ａと共に該メタデータに対応する縮小画像表示部８５ｃがアセット種別表示バー８５ｂの表示領域内に表示されている。この縮小画像表示部８５ｃは、メタデータ表示部８５ａとは独立して且つ該メタデータ表示部８５ａよりも小さく表示される。この縮小画像表示部８５ｃにより画面を切り替えても表示されたメタデータがどの画像のものなのかを認識できる。【選択図】        図８
2006251430.tif 000002
【特許請求の範囲】
【請求項１】
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面を前記表示切替の指示に基づいて切り替えて前記表示手段に表示させる表示制御手段と、
を備えた表示処理装置。
【請求項２】
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面のほかに該画像ファイルを拡大して表示する拡大表示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面のうち１つの画像ファイルに対応する前記情報表示画面と該１つの画像ファイルに対応する前記拡大表示画面とを前記表示切替の指示に基づいて切り替えて前記表示手段に表示させる表示制御手段と、
を備えた表示処理装置。
【請求項３】
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面のほかに該画像ファイルの所定の処理を指示する処理指示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面のうち１つの画像ファイルに対応する前記情報表示画面と該１つの画像ファイルに対応する前記処理指示画面とを前記表示切替の指示に基づいて切り替えて前記表示手段に表示させる表示制御手段と、
を備えた表示処理装置。
【請求項４】
前記縮小画像表示部は、前記メタデータ表示部とは独立して且つ該メタデータ表示部よりも小さく表示されている、
請求項１〜３のいずれかに記載の表示処理装置。
【請求項５】
前記縮小画像表示部は、前記画像ファイルの画像が識別不能にならない程度まで縮小されている、
請求項１〜４のいずれかに記載の表示処理装置。
【請求項６】
前記縮小画像表示部は、前記情報表示画面に関連する文字列を表示する文字列表示バー又は前記情報表示画面の操作方法表示バーのうちいずれかの表示領域内に表示されている、
請求項１〜５のいずれかに記載の表示処理装置。
【請求項７】
前記情報取得手段は、所定の関係を有する１以上のファイルの情報をまとめる集団情報及び個別に存在するファイルの情報のうち少なくとも１つを含み該含んだ情報によりファイルを取得可能に作成されたファイル管理情報を利用して前記２以上の画像ファイルを取得する、
請求項１〜６のいずれかに記載の表示処理装置。
【請求項８】
前記指示取得手段は、ユーザからの前記表示手段に表示された画像ファイルの画像の印刷指示をも取得可能である、
請求項１〜７のいずれかに記載の表示処理装置。
【請求項９】
請求項８に記載の表示処理装置と、
前記表示処理装置によって印刷指示された画像ファイルの画像を着色剤によって記録媒体に印刷する印刷ユニットと、
を備えた印刷装置。
【請求項１０】
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面を前記ステップ（ａ）で取得した画像ファイルごとに作成するステップと、
（ｃ）ユーザからの表示切替の指示を取得するステップと、
（ｄ）ステップ（ｃ）で前記表示切替の指示を取得したときには、前記ステップ（ｂ）で作成した２以上の情報表示画面を前記表示切替の指示に基づいて切り替えて前記表示手段に表示させるステップと、
を含む表示処理方法。
【請求項１１】
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面のほかに該画像ファイルを拡大して表示する拡大表示画面を前記ステップ（ａ）で取得した画像ファイルごとに作成するステップと、
（ｃ）ユーザからの表示切替の指示を取得するステップと、
（ｄ）ステップ（ｃ）でユーザから前記表示切替の指示を取得したときには、前記ステップ（ｂ）で作成した２以上の情報表示画面のうち１つの画像ファイルに対応する前記情報表示画面と該１つの画像ファイルに対応する前記拡大表示画面とを前記表示切替の指示に基づいて切り替えて前記表示手段に表示させるステップと、
を含む表示処理方法。
【請求項１２】
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面のほかに該画像ファイルの所定の処理を指示する処理指示画面を前記ステップ（ａ）で取得した画像ファイルごとに作成するステップと、
（ｃ）ユーザからの表示切替の指示を取得するステップと、
（ｄ）ステップ（ｃ）でユーザから前記表示切替の指示を取得したときには、前記ステップ（ｂ）で作成した２以上の情報表示画面のうち１つの画像ファイルに対応する前記情報表示画面と該１つの画像ファイルに対応する前記処理指示画面とを前記表示切替の指示に基づいて切り替えて前記表示手段に表示させるステップと、
を含む表示処理方法。
【請求項１３】
請求項１０〜１２のいずれかに記載の表示処理方法の各ステップを１又は複数のコンピュータに実現させるためのプログラム。
【発明の詳細な説明】
【技術分野】
【０００１】
本発明は、表示処理装置、印刷装置、表示処理方法及びそのプログラムに関する。
【背景技術】
【０００２】
従来、表示処理装置としては、画像ファイルのサムネイル画像とこの画像ファイルのメタデータとを１つの画面に表示するものが提案されている（例えば、特許文献１参照）。この特許文献１に記載された表示処理装置は、ユーザが表示させたい内容として画像ファイルのサムネイル画像やメタデータをチェックリストから選択し該選択後に表示指示を行うと、チェックした内容をレイアウトして画面上に表示する。したがって、画像ファイルの画像とメタデータの内容との対応が確認できる。
【特許文献１】特開２００４−２８０９２８号公報（図７）
【発明の開示】
【発明が解決しようとする課題】
【０００３】
しかしながら、この特許文献１に記載された表示処理装置では、現在表示しているサムネイル画像とそのメタデータとの両方を含む画面を別の画像ファイルのサムネイル画像とそのメタデータとを含む画面に切り替えようとしたときには、まず画像ファイルを選択する選択画面に戻り、画像ファイルを選択し、次にその画像ファイルのサムネイル画像とそのメタデータの両方を表示内容として選択し、該選択した内容を表示させる表示指示をするという煩雑な操作をしなければならなかった。つまり、複数の画像ファイルのメタデータ同士を画像との対応を確認可能な状態で次々に切り替えて表示したいことがあるが、そのような切り替えはできなかった。また、画像ファイルのサムネイル画像とそのメタデータとの両方を含む画面をそのサムネイル画像の拡大画像を表示する画面に切り替えたいときや、画像ファイルのサムネイル画像とそのメタデータとの両方を含む画面をその画像ファイルの画像の印刷を指示する画面に切り替えたいときも同様であった。
【０００４】
本発明は、このような課題に鑑みなされたものであり、煩雑な操作を行うことなく画像とメタデータとの対応を視認可能な状態でメタデータ同士を切り替えて表示することができる表示処理装置、印刷装置、表示処理方法及びそのプログラムを提供することを目的の一つとする。また、煩雑な操作を行うことなく画像とメタデータとの対応を視認可能な状態と該画像の拡大表示状態とを切り替えて表示することができる表示処理装置、印刷装置、表示処理方法及びそのプログラムを提供することを目的の一つとする。また、煩雑な操作を行うことなく画像とメタデータとの対応を視認可能な状態と該画像の処理指示画面とを切り替えて表示することができる表示処理装置、印刷装置、表示処理方法及びそのプログラムを提供することを目的の一つとする。
【課題を解決するための手段】
【０００５】
本発明は、上述の目的の少なくとも一つを達成するために以下の手段を採った。
【０００６】
本発明の表示処理装置は、
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面を前記表示切替の指示に基づいて切り替えて前記表示手段に表示させる表示制御手段と、
を備えたものである。
【０００７】
この表示処理装置では、画像ファイルに関連づけられているメタデータを表示するメタデータ表示部と画面の一部に配置され該画像ファイルの縮小画像を表示する縮小画像表示部とを有する情報表示画面を画像ファイルごとに作成し、ユーザからの表示切替の指示を取得したときには該取得したユーザからの表示切替の指示に基づいて２以上の画像ファイルの情報表示画面を切り替えて表示する。このとき、画像ファイルのメタデータを表示するメタデータ表示部と共に該メタデータに対応する縮小画像が表示された縮小画像表示部を表示する。したがって、煩雑な操作を行うことなく画像とメタデータとの対応を視認可能な状態でメタデータ同士を切り替えて表示することができる。
【０００８】
あるいは、本発明の表示処理装置は、
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面のほかに該画像ファイルを拡大して表示する拡大表示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面のうち１つの画像ファイルに対応する前記情報表示画面と該１つの画像ファイルに対応する前記拡大表示画面とを前記表示切替の指示に基づいて切り替えて前記表示手段に表示させる表示制御手段と、
を備えたものとしてもよい。
【０００９】
この表示処理装置では、画像ファイルの情報表示画面のほかに該画像ファイルを拡大して表示する拡大表示画面を画像ファイルごとに作成し、ユーザの指示に基づいてそのうちの１つの画像ファイルのメタデータを表示する情報表示画面とこの画像ファイルの拡大表示画面とを切り替える。この情報表示画面には、画像ファイルのメタデータを表示するメタデータ表示部と共に該メタデータに対応する縮小画像が表示された縮小画像表示部が表示されている。したがって、煩雑な操作を行うことなく画像とメタデータとの対応を視認可能な状態と該画像の拡大表示状態とを切り替えて表示することができる。
【００１０】
あるいは、本発明の表示処理装置は、
画像を表示可能な表示手段と、
ユーザからの表示切替の指示を取得可能な指示取得手段と、
２以上の画像ファイルを取得可能な情報取得手段と、
所定の画像ファイルに関連づけられているメタデータを表示するメタデータ表示部と画面の一部に配置され該画像ファイルの縮小画像を表示する縮小画像表示部とを有する情報表示画面のほかに該画像ファイルの所定の処理を指示する処理指示画面を前記情報取得手段によって取得された画像ファイルごとに作成する画面作成手段と、
前記指示取得手段がユーザから前記表示切替の指示を取得したときには、前記画面作成手段によって作成された２以上の情報表示画面のうち１つの画像ファイルに対応する前記情報表示画面と該１つの画像ファイルに対応する前記処理指示画面とを前記表示切替の指示に基づいて切り替えて前記表示手段に表示させる表示制御手段と、
を備えたものとしてもよい。
【００１１】
この表示処理装置では、画像ファイルの情報表示画面のほかに該画像ファイルの所定の処理を指示する処理指示画面を画像ファイルごとに作成し、ユーザの指示に基づいてそのうちの１つの画像ファイルのメタデータを表示する情報表示画面とこの画像ファイルの処理指示画面とを切り替える。この情報表示画面には、画像ファイルのメタデータを表示するメタデータ表示部と共に該メタデータに対応する画像が表示された縮小画像表示部が表示されている。したがって、煩雑な操作を行うことなく画像とメタデータとの対応を視認可能な状態と該画像の処理指示画面とを切り替えて表示することができる。ここで、「所定の処理」には、例えば画像の印刷処理、画像の複製処理及び動画の再生処理などが含まれる。
【００１２】
本発明の表示処理装置において、前記縮小画像表示部は、前記メタデータ表示部とは独立して且つ該メタデータ表示部よりも小さく表示されていてもよい。こうすれば、縮小画像表示部がメタデータ表示部と重なることがないため、メタデータ表示部の内容を確認しやすく、縮小画像表示部が小さいため、スペースを有効利用することができる。
【００１３】
本発明の表示処理装置において、前記縮小画像表示部は、前記画像ファイルの画像が識別不能にならない程度まで縮小されていてもよい。こうすれば、縮小画像表示部の占めるスペースが一層小さいため、スペースを一層有効利用することができる。
【００１４】
本発明の表示処理装置において、前記縮小画像表示部は、前記情報表示画面に関連する文字列を表示する文字列表示バー又は前記情報表示画面の操作方法表示バーのうちいずれかの表示領域内に表示されていてもよい。こうすれば、メタデータの内容を表示する部分に縮小画像表示部を配置する場合に比べて、スペースを有効利用することができる。ここで、「文字列」とは、例えばタイトル、メニュー、ファイル種別及びファイル名などであってもよい。
【００１５】
本発明の表示処理装置において、前記情報取得手段は、所定の関係を有する１以上のファイルの情報をまとめる集団情報及び個別に存在するファイルの情報のうち少なくとも１つを含み該含んだ情報によりファイルを取得可能に作成されたファイル管理情報を利用して前記２以上の画像ファイルを取得してもよい。こうすれば、ファイル管理情報を利用することにより、比較的容易に画像ファイルのメタデータを取得することができる。
【００１６】
本発明の表示処理装置は、前記画像ファイルに含まれるメタデータに基づいて該画像ファイルの種別を判定するファイル種別判定手段、を備え、前記表示制御手段は、前記ファイル種別判定手段によって判定された画像ファイルの種別情報を該画像ファイルの画像と共に前記表示手段に表示してもよい。こうすれば、画像ファイルの種別情報が画像と共に表示されるため、画像ファイルの種別をユーザが容易に認識できる。このとき、前記表示制御手段は、画像ファイルに対応する前記拡大表示画面と共に該画像ファイルに対応するファイルの種別情報を前記表示手段に表示させてもよい。また、前記表示制御手段は、前記画像ファイルの種別情報を該画像ファイルの画像の表示領域内にアイコン表示させてもよい。こうすれば、画像以外の部分に画像ファイルの種別情報を表示する場合に比べてスペースを有効利用することができる。また、アイコンで画像ファイルの種別情報を表示するため、視覚的に認識しやすい。
【００１７】
本発明の表示処理装置において、前記表示制御手段は、ファイルの画像を表示するに際して、前記情報取得手段によって取得されたファイルに画像が含まれていないファイルがあるときには該画像が含まれていないファイルの表示画像として予め定められた画像を前記表示手段に表示させてもよい。こうすれば、画像が含まれていないファイルの画像として予め定められた画像が表示されるため、画像が含まれていないファイルを確認しやすい。
【００１８】
本発明の表示処理装置において、前記指示取得手段は、ユーザからの前記表示手段に表示された画像ファイルの画像の印刷指示をも取得可能であってもよい。こうすれば、印刷する画像ファイルの選択の指示をすることができる。
【００１９】
本発明の印刷装置は、上述した表示処理装置（印刷する画像ファイルの選択指示可能なもの）と、前記表示処理装置によって選択された画像ファイルの画像を着色剤によって記録媒体に印刷する印刷ユニットと、を備えたものである。印刷装置は、複数ある画像ファイルの画像を表示手段に表示させ印刷する画像をユーザが選択することが多い。このとき、複数ある画像ファイルを選択するに際して複数の画像ファイルのメタデータなどを切り替えて確認したいことが多い。したがって、本発明を適用する意義が高い。
【００２０】
本発明の表示処理方法は、
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面を前記ステップ（ａ）で取得した画像ファイルごとに作成するステップと、
（ｃ）ユーザからの表示切替の指示を取得するステップと、
（ｄ）ステップ（ｃ）で前記表示切替の指示を取得したときには、前記ステップ（ｂ）で作成した２以上の画像ファイルに対応する情報表示画面を前記表示切替の指示に基づいて切り替えて前記表示手段に表示させるステップと、
を含むものである。
【００２１】
この表示処理方法では、画像ファイルに関連づけられているメタデータを表示するメタデータ表示部と画面の一部に配置され該画像ファイルの縮小画像を表示する縮小画像表示部とを有する情報表示画面を画像ファイルごとに作成し、ユーザからの表示切替の指示を取得したときには該取得したユーザからの表示切替の指示に基づいて２以上の画像ファイルの情報表示画面を切り替えて表示する。このとき、画像ファイルのメタデータを表示するメタデータ表示部と共に該メタデータに対応する画像が表示された縮小画像表示部を表示する。したがって、煩雑な操作を行うことなく画像とメタデータとの対応を視認可能な状態でメタデータ同士を切り替えて表示することができる。なお、この表示処理方法において、上述した表示処理装置の種々の態様を採用してもよいし、また、上述した表示処理装置の機能を実現するようなステップを追加してもよい。
【００２２】
あるいは、本発明の表示処理方法は、
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面のほかに該画像ファイルを拡大して表示する拡大表示画面を前記ステップ（ａ）で取得した画像ファイルごとに作成するステップと、
（ｃ）ユーザからの表示切替の指示を取得するステップと、
（ｄ）ステップ（ｃ）でユーザから前記表示切替の指示を取得したときには、前記ステップ（ｂ）で作成した２以上の情報表示画面のうち１つの画像ファイルに対応する前記情報表示画面と該１つの画像ファイルに対応する前記拡大表示画面とを前記表示切替の指示に基づいて切り替えて前記表示手段に表示させるステップと、
を含むものとしてもよい。
【００２３】
この表示処理方法では、画像ファイルの情報表示画面のほかに該画像ファイルを拡大して表示する拡大表示画面を画像ファイルごとに作成し、ユーザの指示に基づいてそのうちの１つの画像ファイルのメタデータを表示する情報表示画面とこの画像ファイルの拡大表示画面とを切り替える。この情報表示画面には、画像ファイルのメタデータを表示するメタデータ表示部と共に該メタデータに対応する画像が表示された縮小画像表示部が表示されている。したがって、煩雑な操作を行うことなく画像とメタデータとの対応を視認可能な状態と該画像の拡大表示状態とを切り替えて表示することができる。なお、この表示処理方法において、上述した表示処理装置の種々の態様を採用してもよいし、また、上述した表示処理装置の機能を実現するようなステップを追加してもよい。
【００２４】
あるいは、本発明の表示処理方法は、
画像を表示可能な表示手段を利用した表示処理方法であって、
（ａ）２以上の画像ファイルを取得するステップと、
（ｂ）所定の画像ファイルに関連づけられているメタデータを表示するメタデータ表示部と画面の一部に配置され該画像ファイルの縮小画像を表示する縮小画像表示部とを有する情報表示画面のほかに該画像ファイルの所定の処理を指示する処理指示画面を前記ステップ（ａ）で取得した画像ファイルごとに作成するステップと、
（ｃ）ユーザからの表示切替の指示を取得するステップと、
（ｄ）ステップ（ｃ）でユーザから前記表示切替の指示を取得したときには、前記ステップ（ｂ）で作成した２以上の情報表示画面のうち１つの画像ファイルに対応する前記情報表示画面と該１つの画像ファイルに対応する前記処理指示画面とを前記表示切替の指示に基づいて切り替えて前記表示手段に表示させるステップと、
を含むものとしてもよい。
【００２５】
この表示処理方法では、画像ファイルの情報表示画面のほかに該画像ファイルの所定の処理を指示する処理指示画面を画像ファイルごとに作成し、ユーザの指示に基づいてそのうちの１つの画像ファイルのメタデータを表示する情報表示画面とこの画像ファイルの処理指示画面とを切り替える。この情報表示画面には、画像ファイルのメタデータを表示するメタデータ表示部と共に該メタデータに対応する画像が表示された縮小画像表示部が表示されている。したがって、煩雑な操作を行うことなく画像とメタデータとの対応を視認可能な状態と該画像の処理指示画面とを切り替えて表示することができる。なお、この表示処理方法において、上述した表示処理装置の種々の態様を採用してもよいし、また、上述した表示処理装置の機能を実現するようなステップを追加してもよい。
【００２６】
本発明のプログラムは、上述したいずれかに記載の表示処理方法の各ステップを１又は複数のコンピュータに実行させるためのものである。このプログラムは、コンピュータが読み取り可能な記録媒体（例えばハードディスク、ＲＯＭ、ＦＤ、ＣＤ、ＤＶＤなど）に記録されていてもよいし、伝送媒体（インターネットやＬＡＮなどの通信網）を介してあるコンピュータから別のコンピュータへ配信されてもよいし、その他どのような形で授受されてもよい。このプログラムを一つのコンピュータに実行させるか複数のコンピュータに分散して実行させれば、上述したいずれかの表示処理方法の各ステップが実行されるため、上述したいずれかの表示処理方法と同様の作用効果が得られる。
【発明を実施するための最良の形態】
【００２７】
次に、本発明を実施するための最良の形態を実施例を用いて説明する。
【実施例】
【００２８】
図１は、本発明の一実施例であるマルチファンクションプリンタ１０のブロック図であり、図２は、操作パネル４０の説明図であり、図３は、マニフェストの説明図であり、（ａ）がルートマニフェスト６１の概念図、（ｂ）がマニフェスト７１の概念図である。このマルチファンクションプリンタ１０は、図１に示すように、スロット１７に差し込まれたメモリカード１８を読み書き可能に接続するリーダライタ１６と、スキャナ機能を実行するスキャナ機構２１及びこのスキャナ機構２１を制御するスキャナＡＳＩＣ２２を含んで構成されるスキャナ部２０と、プリンタ機能を実現するプリンタ機構３１及びこのプリンタ機構３１を制御するプリンタＡＳＩＣ３２を含んで構成されるプリンタ部３０と、ユーザが各種の指示を入力する操作パネル４０と、装置全体の制御を司るコントローラ１１とを備えている。なお、「ＡＳＩＣ」とは、アプリケーション・スペシフィック・インテグレーテッド・サーキット（Application Specific Integrated Circuit）の略である。
【００２９】
スキャナ部２０は、スキャナ機構２１とスキャナＡＳＩＣ２２を備えている。スキャナ機構２１は、いわゆるフラットベッド型であり、画像を読み取る媒体Ｍを載せるガラス面２３と、このガラス面２３を介して媒体Ｍを光学的に読み取るラインイメージセンサ２４と、媒体Ｍを読み取るためラインイメージセンサ２４を走査させる移動部２６とを備えている。スキャナＡＳＩＣ２２はスキャナ機構２１を制御する機能を備えたＩＣチップであり、スキャナ機構２１のラインイメージセンサ２４で読み取られたスキャンデータを、コントローラ１１のＲＡＭ１４に設けられたスキャナバッファ１４ａに格納する。本実施例のラインイメージセンサ２４は、媒体Ｍに向かって発光した後の反射光をレッド（Ｒ）、グリーン（Ｇ）、ブルー（Ｂ）の各色に分解してスキャンデータとする周知のカラーイメージセンサである。
【００３０】
プリンタ部３０は、プリンタ機構３１とプリンタＡＳＩＣ３２とを備えている。プリンタ機構３１は、インクジェット方式のフルカラープリンタとして構成されている。このプリンタ機構３１は、シアン・マゼンタ・イエロー・ライトシアン・ライトマゼンタ及びブラックの各色のインクを個別に収容したインクカートリッジ３４と、インクカートリッジから供給された各インクに圧力をかける圧力発生部３５と、圧力発生部３５で加圧されたインクを印刷媒体である記録紙Ｓに吐出する吐出口３６と、記録紙Ｓを搬送する搬送ローラ３８とを備えている。圧力発生部３５は、圧電素子（例えばピエゾ素子など）に電圧をかけることによりこの圧電素子を変形させてインクを加圧する方式を採用している。なお、この圧力発生部３５は、発熱抵抗体（例えばヒータなど）に電圧をかけインクを加熱して発生した気泡によりインクを加圧する方式を採用してもよい。プリンタＡＳＩＣ３２は、プリンタ機構３１を制御する機能を備えたＩＣチップであり、ＲＡＭ１４に設けられた印刷バッファ１４ｂ内の印刷データを１ページごとにビットマップイメージに展開し該展開した展開データを記録紙Ｓに印刷するようにプリンタ機構３１を制御する。
【００３１】
操作パネル４０は、ユーザがマルチファンクションプリンタ１０に対して各種の指示を入力するためのデバイスであり、図１及び図２に示すように、各種の指示に応じた文字、図形又は記号が表示される表示部４２や、各種操作を行う操作部４４が設けられている。表示部４２は、カラー画像を表示する液晶パネルにより構成されている。操作部４４には、ユーザが処理等を選択するカーソルなどを移動させるときに押下されるカーソルキー４４ａや処理選択などを決定するときに押下される決定キー４４ｂ、表示部４２に表示されている画面を他の画面に切り替えるときに押下される表示切替キー４４ｃ、表示部に表示されている画面を一つ前の画面に戻すときなどに押下される戻りキー４４ｄ、選択した画像の印刷枚数を増減させるときに押下される増減キー４４ｅなどが配置されている。
【００３２】
リーダライタ１６は画像処理装置１０の筐体に設けられたスロット１７に差し込まれたメモリカード１８に対してデータの読み書きを行う。メモリカード１８は、電気的に書き換え可能なフラッシュメモリであり、デジタルカメラ５０で撮影した画像ファイルなどを記憶する。ここでは、ユーザによって撮影された画像ファイルは、ＭＰＶ（Ｍｕｓｉｃ  Ｐｈｏｔｏ  Ｖｉｄｅｏ）形式により記憶可能となっている。ＭＰＶとは、コンテンツとしてのアセットの内容を記述するためのメタデータの仕様を定めた規格である。アセットとは、ＭＰＶで取り扱うターゲットの１単位であり、単独の画像ファイル（例えば静止画ファイルなど）で構成されていたり複数の画像ファイル（例えば連続撮影した複数の静止画ファイルなど）で構成されていたりする。本明細書において、前者を個別アセット、後者をコンポジット型アセットと呼ぶことがある。以下、このアセットを用いて説明する。ＭＰＶでは、マークアップ言語としてのＸＭＬで内容が記述されたマニフェストをコントロールファイルに用いる。このマニフェストには、アセットの情報としてのメタデータが記述されている。したがって、マルチファンクションプリンタ１０は、このマニフェストを読み出して解析することにより、各アセット自体を読み出すことなくメモリカード１８のどこにどのようなアセットが記憶されているのかを容易に把握可能となっている。
【００３３】
ここで、メモリカード１８に記憶されているマニフェストの概念について図３を用いて説明する。ルートマニフェスト６１は、メモリカード１８の装着が認識されたときにコントローラ１１により初めに読み込まれるマニフェストである。このルートマニフェスト６１には、他のマニフェスト７１にリンクするリンク情報６２が含まれている。また、このルートマニフェスト６１には、同じイベント（例えば運動会など）で撮影したとか同じ撮影日に撮影したというような所定の関係を有するアセットの集合体であるアルバムを特定可能なアルバム情報６３や、アルバムに含まれずに存在するアセットを特定可能なアセット情報６７などが含まれている。アルバム情報６３には、アセット情報６４，６５，…が含まれている。このアセット情報６４には、アセットに含まれているファイルの名称やこのファイルの保存場所を特定するファイルパス６４ａやアセット種別６４ｂなどが含まれている。アセットの種別としては、静止画（Ｓｔｉｌｌ）、音声付き画像（Ｓｔｉｌｌ  ｗｉｔｈ  Ａｕｄｉｏ）、マルチショット画像（Ｓｔｉｌｌ  Ｍｕｌｔｉｓｈｏｔ  Ｓｅｑｕｅｎｃｅ）、パノラマ画像（Ｓｔｉｌｌ  Ｐａｎｏｒａｍａ  Ｓｅｑｕｅｎｃｅ）及びその他のアセット（Ｏｔｈｅｒ）などがある。また、アセット情報６４には、アセットの作成者、アセットのタイトル、アセットの作成日時などの情報も記述されている。なお、マニフェストに含まれるその他のアセット情報についても同様の内容を含んでいる。
【００３４】
マニフェスト７１は、リンク情報６２を介してルートマニフェスト６１にリンクされているマニフェストである。このマニフェスト７１には、アルバム情報７３，７５や、アルバムに含まれずに存在するアセットを特定可能なアセット情報７７などが含まれている。このルートマニフェスト６１は、他のリンク情報や他のアルバム情報を含んでいてもよい。なお、マニフェストリンクとは、他のマニフェストにリンクする概念のことをいい、リンク情報とは、例えばリンク名称やリンクパスなどマニフェストリンクを具体的に特定可能な情報をいう。アセットとは、本実施例ではＭＰＶで取り扱うターゲットの１単位の概念のことをいい、アセット情報とは、例えばアセット名称やアセットパスなどアセットを具体的に特定可能な情報のことをいう。また、アルバムとは、１以上のアセットの集合体の概念をいい、アルバム情報とは、例えばアルバム名称や、アルバムに含まれているアセットの名称や、アルバムに含まれているアセットのパスなどアルバムを具体的に特定可能な情報のことをいう。
【００３５】
コントローラ１１は、ＣＰＵ１２を中心とするマイクロプロセッサとして構成されており（図１参照）、各種処理プログラムを記憶したＲＯＭ１３と、一時的にデータを記憶したりデータを保存したりするＲＡＭ１４とを備えている。このコントローラ１１は、バス１５を介してリーダライタ１６、スキャナＡＳＩＣ２２、プリンタＡＳＩＣ３２及び操作パネル４０と接続されている。ＲＯＭ１３は、不揮発性の記憶デバイスであり、メモリカードに記憶されたファイルを選択して印刷するときに実行される選択表示印刷制御プログラム１３ａや各種制御用プログラムや画面に配置するパーツのデータなどが記憶されている。ＲＡＭ１４は、複数の領域を備えており、これらの領域には、スキャナ部２０により読み取られた画像情報を一時的に記憶するスキャナバッファ１４ａや、プリンタ部３０に印刷させる画像情報を一時的に記憶する印刷バッファ１４ｂがある。
【００３６】
次に、こうして構成された本実施例のマルチファンクションプリンタ１０の動作について、特にメモリカード１８に記憶されているアセットを選択可能に表示し、選択されたアセットをマルチファンクションプリンタ１０が印刷する動作について説明する。
【００３７】
図４は、コントローラ１１のＣＰＵ１２により実行される選択表示印刷制御ルーチンのフローチャートである。このルーチンは、ＲＯＭ１３に記憶され、ユーザがリーダライタ１６のスロット１７にメモリカード１８を装着したあとＣＰＵ１２によって実行される。図４のルーチンが開始されると、ＣＰＵ１２は、メモリカード１８にルートマニフェストが記憶されているか否かを判定し（ステップＳ１００）、ルートマニフェストが記憶されているときには、ＭＰＶモードで動作するか、全画像を読み出す全画像読出モードで動作するかを選択させる選択画面を表示部４２に表示させ（ステップＳ１１０）、動作モードが選択されたか否かを判定する（ステップＳ１２０）。ユーザによって操作部４４が操作され全画像読出モードが選択されたとき、または、ステップＳ１００でルートマニフェストがメモリカード１８に記憶されていなかったときには、ＣＰＵ１２は、全画像表示処理を実行する（ステップＳ１３０）。ここで、全画像表示処理は、メモリカード１８に含まれているすべての画像ファイルを読み出し、読み出したファイルに含まれている画像をサムネイル表示し、表示した画像のうち印刷する画像をユーザに選択させる処理を行う。
【００３８】
さて、ステップＳ１２０でＭＰＶの動作モードが選択されたときには、ＣＰＵ１２は、ルートマニフェストを読み出し（ステップＳ１４０）、アルバム種があるか否かを判定する（ステップＳ１５０）。ここで、アルバム種としては、図３に示したアルバムやマニフェストリンクなどが設定されている。つまり、アセット自体ではなくアセットの上位にあたる選択肢（アセットをまとめるものの概念、例えばフォルダなど）があるか否かを判定する。ステップＳ１５０でアルバム種があるときには、含まれているアルバム種などの名称を配置した選択画面を表示部４２に表示し（ステップＳ１６０）、ユーザから選択指示されたか否かを判定する（ステップＳ１７０）。選択指示されたか否かの判定は、ユーザにより決定キー４４ｂが押下されたか否かにより行う。ステップＳ１７０で選択指示されていないときにはそのまま待機し、選択指示されたときにはアルバム種が選択されたか否かを判定し（ステップＳ１８０）、アルバム種が選択されたときには、選択されたアルバム種の種別及びパスをＲＡＭ１４に記憶されたパス情報１４ｃの最下段に追加する（ステップＳ１９０）。
【００３９】
ここで、パス情報１４ｃは、図５に示すように、現在の選択画面までどのようなマニフェストのパスを介してきたのかを保存する情報であり、ステップＳ１２０でＭＰＶモードが選択されたときに作成されＲＡＭ１４に保存される。このパス情報１４ｃは、前の表示画面に戻るときに利用するものであり、ルートマニフェストのパスが初期値として記憶されている。そして、アルバム種が選択されるたびに最下段に選択された種別とパスが追加され、ユーザにより戻りキー４４ｄが操作されるたびに最下段の情報が削除される。このように、パス情報を利用して前の画面に戻ることができ前の画面の内容自体を記憶する必要がないため、ＲＡＭ１４の空き領域を確保することができる。
【００４０】
さて、ステップＳ１９０のあと、ＣＰＵ１２は、選択されたアルバム種の内容を読み出し（ステップＳ２００）、上述したステップＳ１５０〜Ｓ２００の処理を行う。つまり、選択された内容にアルバム種が含まれない状態になるまで上述したステップＳ１５０〜Ｓ２００の処理を繰り返す。一方、ステップＳ１８０でアルバム種が選択されていないとき、つまり、単独に存在するアセットが選択されたとき、または、ステップＳ１５０でアルバム種がないときには、現在選択されている内容にはアセット情報のみが含まれておりアセット自体をユーザに選択させる状態であるため、ＣＰＵ１２は、現在開いているマニフェストを閉じ（ステップＳ２１０）、画像選択表示ルーチンを実行する（ステップＳ２２０）。
【００４１】
図６は、ＲＯＭ１３に記憶され、コントローラ１１のＣＰＵ１２により実行される画像選択表示ルーチンのフローチャートである。図６のルーチンが開始されると、ＣＰＵ１２は、選択表示印刷制御ルーチンで選択された内容に含まれているアセット情報及びアセットを読み出す（ステップＳ４００）。アセット情報の読み出しは、アセット名称、アセット種別及びサムネイル画像の有無などの情報を読み出すことを行う。そして、ＣＰＵ１２は、読み出したアセット情報に基づいてアセットの種別を判定し判定結果により決定された種別アイコン８２ｂと共にアセットのサムネイル画像を分割領域ごとに配置した分割配置画面８２を作成して表示部４２に表示させる（ステップＳ４１０）。なお、分割配置画面８２や後述する拡大表示画面８４に用いられる表示用のサムネイル画像は、例えば、ＥＸＩＦなどサムネイル画像を備えたアセット（画像ファイルを含む）をソースとする場合はこのサムネイル画像を表示用に加工して用いてもよいし、画像を含むがサムネイル画像を備えていないアセットをソースとする場合は、含まれている画像をサムネイル画像へ表示用に加工して用いてもよい。また、アセットに画像が含まれないもの（例えば音楽ファイルなど）が存在するときには、そのアセットについては予め設定されているデフォルトの画像を表示させる（図７の画像Ｇ参照）。
【００４２】
ここで、分割配置画面８２について説明する。図７は、分割配置画面８２の説明図である。ここでは、アセットのサムネイル画像Ａ〜Ｇは読み出した順番に左上のマスから右側へ、上段から下段へ配置されている。この分割配置画面８２には、画像を選択するカーソル８２ａが配置されると共に各アセットの画像Ａ〜Ｇが分割領域に配置されており、この各画像の表示領域内には、アセットの種別に対応する種別アイコン８２ｂが配置されている。ここで、種別アイコン８２ｂには、静止画（Ｓ）、音声付き画像（ＳＡ）、マルチショット画像（Ｍ）、パノラマ画像（Ｐ）及びその他のアセット（Ｏ）などの英字が表示されており、そのアセットの種別が容易に認識できるようになっている。これらのうち、マルチショット画像及びパノラマ画像のアセットは、複数の画像ファイルを含むコンポジット型アセットであり、静止画及び音声付き画像のアセットは単数の画像ファイルを含む個別アセットである。ここでは、アセットの種別に応じて種別アイコンの色を変えて表示するように設定されている。こうすれば、アセットの種別を一層区別しやすい。
【００４３】
さて、ステップＳ４１０で分割配置画面８２を表示したあと、ＣＰＵ１２は、分割配置画面８２に表示されている画像が選択されたか否かを判定する（ステップＳ４２０）。画像が選択されたか否かの判定は、ユーザが表示切替キー４４ｃを押下したか否かにより行う。画像が選択されていないときには、ＣＰＵ１２は、そのまま待機し、画像が選択されたときには、選択された画像を拡大した拡大表示画面８４を作成して表示部４２に表示する（ステップＳ４３０）。図８は、表示部４２に表示する表示画面の切り替えの説明図であり、（ａ）〜（ｃ）は、拡大表示画面８４の説明図であり、（ｄ）〜（ｆ）は、情報表示画面８５の説明図である。この拡大表示画面８４には、操作方法表示バー８４ａが画像の下部に重ねられて配置されており、印刷の設定などの操作がわかりやすくなっている。また、拡大表示画面８４にも上述の種別アイコン８２ｂが配置されている。拡大表示画面８４ではアセットの画像が大きく表示されるため、ユーザがアセットの画像を詳しく確認可能である。なお、画像が含まれないアセットは印刷することができないため、そのアセットを拡大表示画面８４にユーザが選択できないように設定されている。
【００４４】
ステップＳ４３０のあと、ＣＰＵ１２は、印刷要求があったか否かを判定する（ステップＳ４４０）。印刷要求があったか否かの判定は、ユーザによって決定キー４４ｂが押下されたか否かによって行う。印刷要求がないときには、ＣＰＵ１２は、アセット変更の指示である左右キー４４ａが押下されたか否かを判定し（ステップＳ４５０）、左右キー４４ａが押下されたときには押下されたキーに応じて画像を変更し該変更した画像の拡大表示画面８４を作成して表示する（ステップＳ４６０）。ここで、画像を変更するに際して左キー４４ａが押下されたときには、ＣＰＵ１２は、現在選択されている画像の前の画像に変更する。このとき、次の画像がデフォルトの画像（画像を含まないファイル、例えば音楽ファイルなど）であるときには、印刷できない画像であるため、このデフォルトの画像の次の画像に変更する。例えば、図７では画像Ｂから画像Ａへ変更し、先頭アセットである画像Ａからは最終アセットで且つデフォルトの画像である画像Ｇの前の画像Ｆへ変更する。一方、画像を変更するに際して右キー４４ａが押下されたときには、ＣＰＵ１２は、現在選択されている画像の次の画像に変更する。例えば、図７では画像Ａから画像Ｂへ変更し、画像Ｆからは最終アセットで且つデフォルトである画像Ｇの次の先頭アセットである画像Ａへ変更する（図８（ａ）〜（ｂ）参照）。なお、複数の画像を含むコンポジット型アセットが選択されているときに右キー４４ａが押下されたときには、コンポジット型アセットに含まれている複数の画像を順番に変更する。
【００４５】
ステップＳ４６０のあと、または、ステップＳ４５０で左右キー４４ａが押下されていないときには、ＣＰＵ１２は、表示切替キー４４ｃが押下されたか否かを判定し（ステップＳ４７０）、表示切替キー４４ｃが押下されていないときにはステップＳ４４０での印刷要求とステップＳ４７０での表示切替キー４４ｃの押下のいずれかが行われるまでステップＳ４４０〜Ｓ４７０の処理を繰り返す。そして、ステップＳ４７０で表示切替キー４４ｃが押下されたときには、ＣＰＵ１２は、現在選択されているアセットの画像を縮小した画像と共にこのアセットのメタデータを表示する情報表示画面８５を作成して表示部４２に表示する（ステップＳ４８０）。
【００４６】
ここで、情報表示画面８５について説明する。図８（ｄ）〜（ｆ）は、情報表示画面８５の説明図である。この情報表示画面８５は、メタデータ表示部８５ａとアセット種別表示バー８５ｂと縮小画像表示部８５ｃと操作方法表示バー８５ｄとにより構成されている。メタデータ表示部８５ａには、アセット情報に記述されている作成者、アセットのタイトル、作成日時などの情報が含まれている。このメタデータ表示部８５ａでは、表示するメタデータのうち取得できなかった項目については表示せず（図８（ｄ）参照）、表示するメタデータのすべてが取得できなかったときには「Ｎｏ  Ｄａｔａ」を表示するように設定されている。アセット種別表示バー８５ｂには、現在選択されているアセットの種別が文字で表示されている。縮小画像表示部８５ｃは、選択されているアセットの画像を縮小した画像を表示する部分であり、情報表示画面８５に切り替えられた際に現在表示されているメタデータがどの画像のものかを認識可能とするものである。この縮小画像表示部８５ｃは、メタデータ表示部８５ａとは独立し且つメタデータ表示部８５ａよりも小さく表示されており、情報表示画面８５のアセット種別表示バー８５ｂの表示領域内に配置されている。また、この縮小画像表示部８５ｃは、アセットの画像が識別不能にならない程度まで縮小されている。したがって、縮小画像表示部８５ｃが配置されることによりメタデータ表示部８５ａの表示部分が狭くならないようになっている。この情報表示画面８５ではアセットのメタデータが大きく表示されるため、ユーザはアセットの内容をよく確認することができる。なお、操作方法表示バー８５ｄには、アセットを変更する操作方法が表示されている。
【００４７】
さて、ステップＳ４８０で情報表示画面８５を表示したあと、ＣＰＵ１２は、印刷要求があったか否かを判定し（ステップＳ４９０）、印刷要求がないときには左右キー４４ａが押下されたか否かを判定する（ステップＳ５００）。左右キー４４ａが押下されたときには押下されたキーに応じて画像を変更し該変更した画像の情報表示画面８５を作成して表示する（ステップＳ５１０）。このとき、情報表示画面８５が次の情報表示画面８５に切り替わっても、表示部４２に表示されているメタデータに対応する縮小画像表示部８５ｃが表示されるため、どの画像のメタデータなのかを認識可能である。なお、ステップＳ４５０と同様に、画像を変更するに際して左キー４４ａが押下されたときには、ＣＰＵ１２は、現在選択されている画像の前の画像に変更し、右キー４４ａが押下されたときには現在選択されている画像の次の画像に変更する（図８（ｄ）〜（ｆ）参照）。ステップＳ５１０のあと、または、ステップＳ５００で左右キー４４ａが押下されていないときには、表示切替キー４４ｃが押下されたか否かを判定し（ステップＳ５２０）、表示切替キー４４ｃが押下されていないときにはステップＳ４９０での印刷要求とステップＳ５２０での表示切替キー４４ｃの押下のいずれかが行われるまでステップＳ４９０〜Ｓ５２０の処理を繰り返す。そして、ステップＳ５２０で表示切替キー４４ｃが押下されたときには、ＣＰＵ１２は、ステップＳ４４０，Ｓ４９０で印刷要求があるまでステップＳ４３０〜Ｓ５２０の処理を繰り返す。なお、ステップＳ４３０〜Ｓ５２０のいずれかで戻りキー４４ｄが押下されたときには、ステップＳ４１０で分割配置画面８２を表示するように設定されている。
【００４８】
一方、ステップＳ４４０，Ｓ４９０で印刷要求があったときには、ＣＰＵ１２は、印刷指示画面８６を作成して表示部４２に表示し（ステップＳ５３０）、このルーチンを終了する。図９は、印刷指示画面８６への切り替えの説明図である。この印刷指示画面８６（図９（ｃ））は、印刷設定情報表示部８６ａとタイトルバー８６ｂと縮小画像表示部８６ｃと操作方法表示バー８６ｄとにより構成されている。この印刷指示画面８６は、情報表示画面８５（図９（ｂ））が表示部４２に表示されているときに決定キー４４ｂが押下されると表示部４２に表示される。また、その後、印刷指示画面８６が表示されているときに、戻りキー４４ｄが押下されると情報表示画面８５に切り替えて表示される。ここでは、情報表示画面８５に配置された縮小画像表示部８５ｃによって、表示部４２に表示されているメタデータがどの画像のものかを認識可能であるため、ユーザは、情報表示画面８５を確認したあと直接印刷指示することができる。なお、拡大表示画面８４から印刷指示画面８６に切り替えられたあとでは、決定キー４４ｂ及び戻りキー４４ｄによって、拡大表示画面８４と印刷指示画面８６とを切り替え可能になっている（図９（ａ），（ｃ）参照）。
【００４９】
そして、図４に示した選択表示印刷制御ルーチンに戻り、ステップＳ１３０で全画像表示処理を行ったあと、または、ステップＳ２２０で画像選択表示処理を実行したあと、ＣＰＵ１２は、選択された画像の印刷処理を実行する（ステップＳ２３０）。画像の印刷は、印刷指示画面８６で決定キー４４ｂが押下されると実行される。ここで、印刷処理について説明する。マルチファンクションプリンタ１０のコントローラ１１は、ユーザからの印刷指示及び印刷データを受信すると、プリンタＡＳＩＣ３２へ印刷指令を行う。印刷指令を受けると、プリンタＡＳＩＣ３２は、ＲＡＭ１４の印刷バッファ１４ａに記憶された印刷データをビットマップ展開し、図示しない駆動モータを駆動して搬送ローラ３８を回転させて記録紙Ｓを搬送し、圧力発生部３５への電圧を制御することによりビットマップに展開した画像データに基づいて記録紙Ｓに画像を印刷する。なお、印刷終了後は、再び選択表示印刷制御ルーチンのステップＳ１２０以降の処理を行う。
【００５０】
最後に、図７及び図８に示した表示部４２の説明図を用いてアセットを表示して選択させる一連の動作について説明する。まず、ユーザは、マルチファンクションプリンタ１０のスロット１７にメモリカード１８を挿入しＭＰＶモードを選択し、印刷したいアセットが含まれているアルバムを選択する。すると、ＣＰＵ１２は、アルバムに含まれているアセットの情報を読み出し、読み出したアセット情報に基づいて種別アイコン８２ｂと共にサムネイル画像を配置した分割配置画面８２（図７）を表示部４２に表示する。ユーザは画像Ａにカーソル８２ａを合わせ、表示切替キー４４ｃを押下する。すると、ＣＰＵ１２は、画像Ａを選択し該選択された画像を拡大表示する拡大表示画面８４を表示する（図８（ｂ））。このとき、ユーザが左キー４４ａを押下するとデフォルト画像Ｇの前の画像Ｆの拡大表示画面８４が表示され（図８（ａ））、一方、画像Ａの拡大表示画面８４が表示されているときに、ユーザが右キー４４ａを押下すると画像Ｂ（コンポジット型アセットの先頭の画像）の拡大表示画面８４が表示される（図８（ｃ））。そして、画像Ａの拡大表示画面８４が表示されているときにユーザが表示切替キー４４ｃを押下すると、現在選択されている画像Ａのアセットのメタデータを表示する情報表示画面８５が表示される（図８（ｅ））。このとき、ユーザが左キー４４ａを押下すると、画像Ｆのアセットの情報表示画面８５が表示され（図８（ｄ））、一方、画像Ａの情報表示画面８５が表示されているときに、ユーザが右キー４４ａを押下すると画像Ｂ（コンポジット型アセットの先頭の画像）のアセットの情報表示画面８５が表示される（図８（ｆ））。このように、メタデータが表示されている情報表示画面８５同士を順番に切り替えても、表示されているメタデータに対応する縮小画像表示部８５ｃが表示されるため、表示されているメタデータがどの画像のものなのかを認識可能である。このため、ユーザは、情報表示画面８５が表示されている状態から直接、印刷指示画面８６に切り替えて印刷を行うことができる。また、左右キー４４ａを押下して情報表示画面８５同士を切り替えてメタデータの確認をしているときに、縮小画像表示部８５ｃを確認して拡大したい画像を見つけたときには表示切替キー４４ｃを押下することにより簡単にそのアセットの拡大表示画面８４に切り替え可能である。なお、いずれかの状態で戻りキー４４ｄが押下されると分割配置画面８２の表示に戻る。そして、ユーザは、表示されている情報表示画面８５の内容を確認したあと、決定キー４４ｂを押下して印刷指示画面８６に切り替えて印刷設定などの内容を確認し、決定キー４４ｂを押下して印刷指示を行う。すると、ＣＰＵ１２は、印刷指示された画像ファイルの印刷を行う。
【００５１】
ここで、本実施例の構成要素と本発明の構成要素との対応関係を明らかにする。本実施例のコントローラ１１が本発明の情報取得手段、画面作成手段及び表示制御手段に相当し、表示部４２が表示手段に相当し、操作部４４が指示取得手段に相当し、印刷機構３１が印刷ユニットに相当する。また、アルバム情報６３，７３，７５が本発明の集団情報に相当し、ルートマニフェスト６１及びマニフェスト７１がファイル管理情報に相当する。なお、本実施例では、マルチファンクションプリンタ１０の動作を説明することにより本発明の表示処理方法の一例も明らかにしている。
【００５２】
以上詳述した本実施例のマルチファンクションプリンタ１０によれば、情報表示画面８５が選択されているときに、ユーザが左右キー４４ａを押下したときには、２以上のアセットの情報表示画面８５を切り替えて表示する。このとき、アセットのメタデータを表示するメタデータ表示部８５ａと共に該メタデータに対応する縮小画像が表示された縮小画像表示部８５ｃを表示する。したがって、煩雑な操作を行うことなく（１回のキー操作で）画像とメタデータとの対応を視認可能な状態でメタデータ同士を切り替えて表示することができる。
【００５３】
また、ユーザが表示切替キー４４ｃを押下したときには、アセットの画像を拡大して表示する拡大表示画面８４とこの画像ファイルのメタデータを表示する情報表示画面８５とを切り替える。この情報表示画面８５には、メタデータ表示部８５ａと共に該メタデータに対応する縮小画像が表示された縮小画像表示部８５ｃが表示されている。したがって、煩雑な操作を行うことなく画像とメタデータとの対応を視認可能な情報表示画面８５と該画像の拡大表示画面８４とを切り替えて表示することができる。
【００５４】
更に、ユーザが決定キー４４ｂを押下したときには、アセットのメタデータを表示する情報表示画面８５からこのアセットの画像の印刷指示画面８６へ切り替え、戻りキー４４ｄを押下したときにはアセットの画像の印刷指示画面８６からこのアセットの情報表示画面８５に切り替える。この情報表示画面８５には、メタデータ表示部８５ａと共に該メタデータに対応する縮小画像が表示された縮小画像表示部８５ｃが表示されている。したがって、煩雑な操作を行うことなく画像とメタデータとの対応を視認可能な情報表示画面８５と該画像の印刷指示画面８６とを切り替えて表示することができる。
【００５５】
更にまた、縮小画像表示部８５ｃは、メタデータ表示部８５ａとは独立しているため、縮小画像表示部がメタデータ表示部と重なることがなくメタデータ表示部の内容を確認しやすいし、該メタデータ表示部８５ａよりも小さく表示されているため、スペースを有効利用することができる。また、縮小画像表示部８５ｃは、アセットの画像が識別不能にならない程度まで縮小されているため、縮小画像表示部８５ｃが占めるスペースが小さくスペースを一層有効利用することができる。更に、縮小画像表示部８５ｃは、情報表示画面８５のアセット種別表示バー８５ｂの上に配置されているため、メタデータ表示部８５ａに縮小画像表示部８５ｃを配置する場合に比べて、スペースを有効利用することができる。したがって、プリンタが備える表示部４２という表示領域が限られているなかで、縮小画像表示部８５ｃを表示したとしてもメタデータ表示部８５ａの表示領域を十分に確保することができる。
【００５６】
そして、所定の関係を有する１以上のファイル情報をまとめるアルバム情報及び個別に存在するファイル情報のうち少なくとも１つを含み該含んだ情報によりファイルを取得可能に作成されたマニフェストを利用して表示部４２に表示させるアセットのメタデータを取得するため、マニフェストを利用することにより、比較的容易にアセットのメタデータを取得することができる。
【００５７】
そしてまた、表示部４２に表示されるアセットの画像を印刷画像として操作部４４によりユーザが選択可能であるため、印刷するアセットを表示して選択することができる。
【００５８】
そして更に、複数あるアセットの画像を表示部に表示させ印刷する画像をユーザが選択することが多く、複数あるアセットを選択するに際して複数のアセットのメタデータを切り替えて確認したいことが多いため、本発明を適用する意義が高い。
【００５９】
なお、本発明は上述した実施例に何ら限定されることはなく、本発明の技術的範囲に属する限り種々の態様で実施し得ることはいうまでもない。
【００６０】
例えば、上述した実施例では、縮小画像表示部８５ｃをアセット種別表示バー８５ｂの表示領域内に配置した情報表示画面８５としたが、図１０（ａ）に示すように、縮小画像表示部８５ｃを操作方法表示バー８５ｄの表示領域内に配置した情報表示画面８５Ｂとしてもよい。こうしても、上述した実施例と同様の効果が得られる。また、アセット種別表示バー８５ｂや操作方法表示バー８５ｄのほか、情報表示画面の構成によっては、例えばタイトルバー、メニューバー、ファイル名表示バーなどの表示領域内に縮小画像表示部８５ｃを配置してもよい。であってもよい。あるいは、図１０（ｂ）に示すように、縮小画像表示部８５ｃを情報表示画面の外周近傍で且つメタデータ表示部８５ａの上に配置した情報表示画面８５Ｃとしてもよい。こうしても、煩雑な操作を行うことなく画像とメタデータとの対応を視認可能な状態で情報表示画面８５同士を切り替えて表示するか、拡大表示画面８４と情報表示画面８５とを切り替えて表示することができる。
【００６１】
また、上述した実施例では、マニフェストを用いたＭＰＶ形式で保存された画像の処理に適用する場合ついて説明したが、特にこれに限定されず、例えばＤＣＦ（Ｄｅｓｉｇｎ  ｒｕｌｅ  ｆｏｒ  Ｃａｍｅｒａ  Ｆｉｌｅ  ｓｙｓｔｅｍ）方式に従って保存された画像の処理に適用してもよい。また、上述した実施例では、画像ファイルのうち静止画ファイルの画像について説明したが、動画ファイルとしてもよい。また、上述した実施例では、画像ファイルの画像を選択して印刷処理する場合について説明したが、例えば画像ファイルを選択して複製処理する場合（上述の印刷指示画面８６を複製指示画面とする）や動画ファイルを選択して再生処理する場合（上述の印刷指示画面８６を再生指示画面とする）などに適用してもよい。
【００６２】
更に、上述した実施例では、画像が含まれないアセット（図７の画像Ｇ参照）を拡大表示画面８４に選択できないように設定されているとしたが、選択できるようにしてもよい。また、この画像が含まれないアセットの情報表示画面８５を他の画像の情報表示画面８５から切り替えて表示可能としてもよい。こうしても、煩雑な操作を行うことなく画像を含まないアセットとメタデータとの対応を視認可能な状態で情報表示画面８５同士を切り替えて表示することができる。
【００６３】
更にまた、上述した実施例では、インクジェット方式を採用したフルカラーのマルチファンクションプリンタ１０としたが、電子写真方式のカラーレーザプリンタや、熱転写式のカラープリンタや、ドットインパクト方式のプリンタとしてもよいし、これらのモノクロプリンタとしてもよい。また、ＦＡＸ機やコピー機などの印刷装置としてもよい。また、パソコン、スキャナ、デジカメ及びデジタルビデオなどの画像処理機器などに本発明を適用してもよい。
【図面の簡単な説明】
【００６４】
【図１】本実施例のマルチファンクションプリンタ１０のブロック図である。
【図２】本実施例の操作パネル４０の説明図である。
【図３】本実施例のマニフェストの説明図である。
【図４】本実施例の選択表示印刷制御ルーチンである。
【図５】本実施例のパス情報１４ｃの説明図である。
【図６】本実施例の画像選択表示ルーチンである。
【図７】本実施例の表示部４２に表示する分割配置画面８２の説明図である。
【図８】拡大表示画面８４と情報表示画面８５との切り替えの説明図である。
【図９】本実施例の印刷指示画面８６への切り替えの説明図である。
【図１０】表示部４２に表示する情報表示画面８５Ｂ，８５Ｃの説明図である。
【符号の説明】
【００６５】
１０  マルチファンクションプリンタ、１１  コントローラ、１２  ＣＰＵ、１３  ＲＯＭ、１３ａ  選択表示印刷制御プログラム、１４  ＲＡＭ、１４ａ  スキャナバッファ、１４ｂ  印刷バッファ、１４ｃ  パス情報、１５  バス、１６  リーダライタ、１７  スロット、１８  メモリカード、２０  スキャナ部、２１  スキャナ機構、２２  スキャナＡＳＩＣ、２３  ガラス面、２４  ラインイメージセンサ、２６  移動部、３０  プリンタ部、３１  プリンタ機構、３２  プリンタＡＳＩＣ、３４  インクカートリッジ、３５  圧力発生部、３６  吐出口、３８  搬送ローラ、４０  操作パネル、４２、表示部、４４  操作部、４４ａ  カーソルキー、４４ｂ  決定キー、４４ｃ  表示切替キー  ４４ｄ  戻りキー、５０  デジタルカメラ、６１  ルートマニフェスト、６２  リンク情報、６２ａ  リンクパス、６３  アルバム情報、６４，６５，６７，６８  ファイル情報、６４ａ，６５ａ，６７ａ，６８ａ  ファイルパス、６６  総括名称、７１  マニフェスト、７３  アルバム情報、７４  ファイル情報、７４ａ  ファイルパス、７５  アルバム情報、７６  ファイル情報、７６ａ  ファイルパス、７７  ファイル情報、７７ａ  ファイルパス、８２  分割配置画面、８２ａ  カーソル、８２ｂ  種別アイコン、８４  拡大表示画面、８４ａ  操作方法表示バー、８４ｂ  種別アイコン、８５，８５Ｂ，８５Ｃ  情報表示画面、８５ａ  メタデータ表示部、８５ｂ  アセット種別表示バー、８５ｃ  縮小画像表示部、８５ｄ  操作方法表示バー、８６  印刷指示表示画面、８６ａ  印刷設定情報表示部、８６ｂ  タイトルバー、８５ｃ  縮小画像表示部、８５ｄ  操作方法表示バー、Ａ〜Ｇ  画像、Ｍ  媒体、Ｓ  記録紙。
【図１】
2006251430.tif 000003
【図２】
2006251430.tif 000004
【図３】
2006251430.tif 000005
【図４】
2006251430.tif 000006
【図５】
2006251430.tif 000007
【図６】
2006251430.tif 000008
【図７】
2006251430.tif 000009
【図８】
2006251430.tif 000010
【図９】
2006251430.tif 000011
【図１０】
2006251430.tif 000012